(57)【要約】【課題】携帯性、衛生・防臭性、車内での置き場所、使い易さ等を配慮した携帯式排尿容器を提供することを目的とする。【解決手段】排尿容器１の底部近傍に容器１内部に通じるノズル８を設け、このノズル８に透明なホース９の一方を差込むと共に、他端側を手提げ部５の中空な円筒状の握り部分１０に差込み保持させて容器１内に溜まった尿の量を透明なホース９から認識できるようにした。また前記排尿容器１の上面開口に開閉自在な蓋３を設けると共に、該容器１にコ字型の手提げ５を回動自在に取付け、さらに前記蓋３の内面に消臭剤を収容する収容部４を設けた。前記排尿容器１がステンレス、または硬質な合成樹脂製の縦長な半円筒容器であり、前記排尿容器１の側面に排尿時に握る取っ手７をやや傾けて取付けた。また前記排尿容器１の内部を弾性材で被膜するようにした。【選択図】図１
0003121957.tif 000002
【実用新案登録請求の範囲】
【請求項１】
携帯排尿容器（１）の底部近傍に容器（１）内部に通じるノズル（８）を設け、このノズル（８）に透明なホース（９）の一方を差込むと共に、他端側を手提げ部（５）の中空な円筒状の握り部分（１０）に差込み保持させて容器（１）内に溜まった尿の量を透明なホース（９）から認識できるようにした携帯排尿容器。
【請求項２】
前記排尿容器（１）の上面開口に開閉自在な蓋（３）を設けると共に、該容器（１）に手提げ（５）を回動自在に取付けたことを特徴とする請求項１記載の携帯排尿容器。
【請求項３】
前記蓋（３）の内面に消臭剤を収容する収容部（４）を設けたことを特徴とする請求項２記載の携帯排尿容器。
【請求項４】
前記排尿容器（１）がステンレス、または硬質な合成樹脂製の縦長な半円筒容器であることを特徴とする請求項１及び請求項２記載の携帯排尿容器。
【請求項５】
前記排尿容器（１）の側面に排尿時に握る取っ手（７）をやや傾けて取付けたことを特徴とする請求項１及び請求項２記載の携帯排尿容器。
【請求項６】
前記排尿容器（１）の内部をシリコン、発泡スチロール等の弾性材で被膜するようにしたことを特徴とする請求項１及び請求項２記載の携帯排尿容器。
【考案の詳細な説明】
【技術分野】
【０００１】
本考案は車両でドライブ中の急な尿意に対応できる携帯排尿容器に関するものである。
【背景技術】
【０００２】
従来、排尿容器は病人や老人などを対象に屋内での使用を想定したものであった。然しながら今日の車社会では連休日や時間帯によっては幹線道路などで渋滞に巻き込まれ、長時間動きが取れず、車内で尿意を催す事がしばしばある。かかる車内で利用できる携帯排尿容器がいろいろと提案されている。例えば、排尿袋と漏斗状受尿器を組み合わせたもの（特許文献１参照）や排尿口と貯尿用容器を連結する物（特許文献２参照）逆止弁を内蔵した採尿器で着衣の中に装着できるようにしたもの（特許文献３参照）等がある。
【０００３】
【特許文献１】特開２００１−３０９８６７号
【特許文献２】特開２００１−２６９２８８号
【特許文献３】特開２００４−５７７４７号
【考案の開示】
【考案が解決しようとする課題】
【０００４】
本考案は、従来品の改良型として特に携帯性、衛生・防臭性、車内での置き場所、使い易さ等を配慮した携帯式排尿容器を提供することを目的とする。
【課題を解決するための手段】
【０００５】
本考案の携帯式排尿容器１は、容器１の底部近傍に容器１内部に通じるノズル８を設け、このノズル８に透明なホース９の一方を差込むと共に、他端側を手提げ部５の中空な円筒状の握り部分１０に差込み保持させて容器１内に溜まった尿の量を透明なホース９から認識できるようにしたことを特徴としている。
【０００６】
また前記排尿容器１の上面開口に開閉自在な蓋３を設けると共に、該容器１にコ字型の手提げ５を回動自在に取付け、さらに前記蓋３の内面に消臭剤を収容する収容部４を設けたことを特徴とする。
【０００７】
前記排尿容器１がステンレス、または硬質な合成樹脂製の縦長な半円筒容器であり、前記排尿容器１の側面に排尿時に握る取っ手７をやや傾けて取付けた。また前記排尿容器１の内部をシリコン、発泡スチロール等の弾性材で被膜するようにしたこと等を特徴としている。
【考案の効果】
【０００８】
上記のように透明のホースとしたので放尿時に尿の量を外部から確認でき安心出来る。また容器に溜まった尿をトイレ等に流すときは止めてあったホース９を握り部分１０から引き出してトイレに流すのでこぼれることがない。携帯時には手提げ５を上方に引き上げて握り部分１０を持って持ち運びが出来て便利である。また容器の側面に設けた取っ手7を傾けてあるので使用時に容器の保持がし易く人体に当てがいやすい。
【０００９】
さらに排尿容器１の内部をシリコン、発泡スチロール等の弾性材で被膜を施して放尿音を消すようしたので気を使わない。また蓋の内面に消臭剤を入れたので臭気を防ぐなどの効果がある。
【考案を実施するための最良の形態】
【００１０】
携帯排尿容器１の底部近傍に容器１の内部に通じるノズル８を設け、このノズル８に塩化ビニール製の透明なホース９を差込み、容器１内に溜まった尿をこのホース９から排出するようにした。またホース９の先を手提げ５の握り部分１０の中空な円筒部に差込み保持させ、携帯時にホース９が邪魔にならないようにすると共に、放尿時にホース内の尿の量が視認出来るようにした。
【実施例１】
【００１１】
以下、本考案の実施の形態について図面に基づき説明する。図１は本考案の携帯排尿容器であり、ステンレス、または硬質な合成樹脂製の縦長な半円筒の容器１の上面開口に蝶番２で連結した蓋３を取付け、蓋３の内側天井部に消臭剤を収容する収容部４を設ける。またコ字型の手提げ５の基部を回動自在に容器１の側面にリベット６で固定し、さらに排尿時に手で握る取っ手７を容器１の側面にやや傾けて取り付ける。
【００１２】
そして容器１の底部近傍に容器１の内部に通じるノズル８を設け、このノズル８に塩化ビニール製の透明なホース９を差込み、容器１内に溜まった尿をこのホース９から排出するようにした。またホース９の先を手提げ５の握り部分１０の中空な円筒部に差込み保持させ、携帯時にホース９が邪魔にならないようにすると共に、放尿時にホース内の尿の量が視認出来るようにした。また容器の内側正面部にはシリコン、発泡スチロール等の弾性材で被膜を施し使用時の放尿音を消すようにした。尚、前記蓋３は蝶番２を用いず密閉性の良い蓋を単に被せるようにしても良い。
【００１３】
本考案の携帯排尿容器を車内に持ち込む時は、輪状のひもなどを容器の手提げに結び、運転席又は助手席の枕部に引っかけるか、シートの背部にぶら下げても良く、または安定した箱型の台を床に置き、その中に排尿容器を置いて利用する。そして排尿時には蓋３を開け、取っ手７を握って人体にあてがい透明のホースで尿の量を確認しながら排尿する。排尿後は、蓋３を被せ尿が洩れないように容器１を立てるかぶら下げておく。そして容器に溜まった尿をトイレ等に流すときは握り部分１０に止めてあったホース9を引き出してトイレに流せば良い。
【図面の簡単な説明】
【００１４】
【図１】本考案の携帯排尿容器の斜視図である。
【図２】取っ手部分のある右側面図である。
【符号の説明】
【００１５】
１  排尿容器
２  蝶番
３  蓋
４  消臭剤収容部
５  手提げ部
６  リベット
７  取っ手
８  ノズル
９  透明なホース
１０  握り部分
【図１】
0003121957.tif 000003
【図２】
0003121957.tif 000004